(57)【要約】【課題】  バッファメモリにキュー／レビューのために必要なデータのみを溜め込む方式が採用され、且つキュー／レビュー操作とＡＭＳ操作とが共通の操作子に対して割り与えられている記録再生装置において、キュー／レビューの応答性の向上を図る【解決手段】  上記共通の操作子に対する操作入力が開始されたことに応じて、キュー／レビュー動作のために必要となるデータの読み込み開始位置への、再生ヘッドの移動を開始させる。これにより、従来ではキュー／レビュー操作の確定後に上記開始位置へのアクセスが開始されていたものを、確定を待たずにアクセスを開始させることができ、その分キュー／レビュー動作の応答性向上を図ることができる。【選択図】  図９
2005182858.tif 000002
【特許請求の範囲】
【請求項１】
再生ヘッドを備えて記憶媒体に記憶されたデータを読み取る読取手段と、
上記読取手段による読み取りデータを一時保持するバッファメモリと、
上記バッファメモリからのデータ読み出しを行って再生出力を行う再生出力手段と、
上記記憶媒体に対して記憶される上記データについて、プログラム単位の頭出し再生を行うための頭出し操作と、早送りまたは早戻し再生を行うための高速再生操作とが、同一の操作子に割り与えられた操作手段と、
上記操作手段における上記操作子に対する操作開始からの操作状態に応じて、上記頭出し操作または上記高速再生操作を確定する操作確定手段と、
上記操作子に対する操作入力が開始されたことに応じて、上記再生ヘッドが、上記早送りまたは早戻し再生のために必要なデータについての読み取り開始位置をアクセス目標として移動を開始するように、上記読取手段に対する制御を行う制御手段と、
を備えることを特徴とする記録再生装置。
【請求項２】
上記操作確定手段は、
上記同一の操作子に対する操作開始から、所定時間長内に操作が停止された状態に応じては、上記頭出し操作が行われたことを確定し、所定時間長以上にわたる操作が行われている状態に応じては、上記高速再生操作を確定する、
ことを特徴とする請求項１に記載の記録再生装置。
【請求項３】
上記操作手段は、
再生順序的に後方となる頭出し位置からの再生を行うための後方頭出し操作と、上記早送り再生を行うための早送り操作とが割り与えられた操作子と、再生順序的に前方となる頭出し位置からの再生を行うための前方頭出し操作と、上記早戻し再生を行うための早戻し操作とが割り与えられた操作子とを備える、
ことを特徴とする請求項１に記載の記録再生装置。
【請求項４】
上記制御手段は、
上記操作確定手段により上記早送りまたは早戻し操作が確定されたことに応じ、上記再生ヘッドが上記データの読み取りを開始するように上記読取手段を制御するようにも構成されている、
ことを特徴とする請求項１に記載の記録再生装置。
【請求項５】
再生ヘッドを用いて記憶媒体に記憶されたデータを読み取る読取手順と、
上記読取手順による読み取りデータをバッファメモリに一時保持するバッファ手順と、
上記バッファ手順により上記バッファメモリに保持させたデータを読み出して再生出力を行う再生出力手順と、
上記記憶媒体に記憶される上記データについて、プログラム単位の頭出し再生を行うための頭出し操作と、早送りまたは早戻し再生を行うための高速再生操作とが割り与えられた、同一の操作子に対する操作開始からの操作状態に応じて、上記頭出し操作または上記高速再生操作を確定する操作確定手順と、
上記操作子に対する操作入力が開始されたことに応じて、上記再生ヘッドが、上記早送りまたは早戻し再生のために必要なデータについての読み取り開始位置をアクセス目標として移動を開始するように制御を行う制御手順と、
を実行することを特徴とする再生方法。
【発明の詳細な説明】
【技術分野】
【０００１】
本発明は、例えばＣＤ（Compact Disc）やＭＤ（Mini Disc：光磁気ディスク）等の記憶媒体についての記録または再生が可能な記録再生装置と、その再生方法に関する。
【背景技術】
【０００２】
例えば、ＣＤ（Compact Disc）、ＭＤ（Mini Disc：光磁気ディスク）、ハードディスク等の記憶媒体についての記録／再生が可能な記録再生装置では、再生データの早送りや早戻し機能としてキュー／レビュー再生が可能に構成されたものがある。
そして記録再生装置において、このようなキュー／レビュー再生のための操作は、例えば楽曲プログラム（楽曲トラック）単位での頭出し（ＡＭＳ）再生を行うための操作と共通の操作子を用いるようにされる場合がある。例えば、所定の同一操作子に対する操作が、所定時間長以上継続した場合はキュー／レビュー操作を確定し、所定時間長に満たない場合はＡＭＳ操作を確定するように構成されるものである。
【０００３】
ところで、このようなキュー／レビュー再生としては、バッファメモリから所定間隔でデータを読み出す方式と、バッファメモリの記録内容を一旦クリアし、改めてキュー／レビューのためのデータを溜め込むようにする方式とが存在する。
前者の方式を採用する場合、既にバッファメモリ内に保持されているデータを利用することができるので、キュー／レビューの応答性の面で有利となるが、読み出し側で通常再生時とキュー／レビュー再生時とで読み出し間隔を変更しなければならないこととなる。
また、後者の場合は、キュー／レビュー再生のためのデータを改めて溜め込まなければならないことから応答性の面では前者の場合よりも不利であるが、バッファメモリからの読み出しは通常再生時もキュー／レビュー再生時も一定とすることができるというメリットがある。
【０００４】
なお、記録再生装置におけるキュー／レビュー再生に関連する従来技術としては、例えば以下の特許文献を挙げることができる。
【特許文献１】特開２００３−３４６４２０号公報
【発明の開示】
【発明が解決しようとする課題】
【０００５】
ここで、キュー／レビュー再生の方式として、上記した後者の方式を採用する記録再生装置であって、例えば先に述べたようにＡＭＳ操作とキュー／レビュー操作とで操作子が共通とされるものでは、操作開始から動作が実行されるまでに相当の時間を要してしまうことになる。つまり、この場合は操作子が共通とされていることから操作確定までに待ち時間を要し、さらに後者の方式が採用されることで、確定後のデータ溜め込み完了までの待ち時間が必要となってしまうものである。
このようなことから、従来の記録再生装置として、例えばキュー／レビュー操作とＡＭＳ操作とが共通の操作子に割り与えられ、且つキュー／レビューのためのデータ溜め込みを行う方式が採用されるものについては、特にキュー／レビュー動作の応答性向上が要求されるものであった。
【課題を解決するための手段】
【０００６】
そこで、本発明では以上のような問題点に鑑み、記録再生装置として以下のように構成することとした。
すなわち、先ず、再生ヘッドを備えて記憶媒体に記憶されたデータを読み取る読取手段と、上記読取手段による読み取りデータを一時保持するバッファメモリと、上記バッファメモリからのデータ読み出しを行って再生出力を行う再生出力手段とを備える。
そして、上記記憶媒体に対して記憶される上記データについて、プログラム単位の頭出し再生を行うための頭出し操作と、早送りまたは早戻し再生を行うための高速再生操作とが、同一の操作子に割り与えられた操作手段と、上記操作手段における上記操作子に対する操作開始からの操作状態に応じて、上記頭出し操作または上記高速再生操作を確定する操作確定手段とを備える。
その上で、上記操作子に対する操作入力が開始されたことに応じて、上記再生ヘッドが、上記早送りまたは早戻し再生のために必要なデータについての読み取り開始位置をアクセス目標として移動を開始するように、上記読取手段に対する制御を行う制御手段を備えるようにした。
【０００７】
また、本発明では再生方法として以下のようにもすることとした。
つまり、再生ヘッドを用いて記憶媒体に記憶されたデータを読み取る読取手順と、上記読取手順による読み取りデータをバッファメモリに一時保持するバッファ手順と、上記バッファ手順により上記バッファメモリに保持させたデータを読み出して再生出力を行う再生出力手順とを実行する。
そして、上記記憶媒体に記憶される上記データについて、プログラム単位の頭出し再生を行うための頭出し操作と、早送りまたは早戻し再生を行うための高速再生操作とが割り与えられた、同一の操作子に対する操作開始からの操作状態に応じて、上記頭出し操作または上記高速再生操作を確定する操作確定手順を実行する。
その上で、上記操作子に対する操作入力が開始されたことに応じて、上記再生ヘッドが、上記早送りまたは早戻し再生のために必要なデータについての読み取り開始位置をアクセス目標として移動を開始するように制御を行う制御手順を実行するようにした。
【０００８】
上記のように本発明によれば、頭出し操作と、早送りまたは早戻しの高速再生操作とが割り与えられた操作子に対し操作入力が開始されたことに応じて、再生ヘッドが早送り／早戻し再生のための読み取り開始位置への移動を開始するものとなる。
すなわち、このような動作により、上記操作子に対する操作が開始されることに応じては、上記高速再生操作の確定を待たずして直ちに再生ヘッドが移動を開始するようになるものである。
【発明の効果】
【０００９】
このように本発明によれば、高速再生操作が確定される前に、再生ヘッドの移動を開始させることができるので、高速再生操作が確定した後に再生ヘッドの移動を開始するようにされた従来技術と比較して、バッファメモリへの必要なデータの溜め込みをより早く行うことができる。
そして、このように早送りまたは早戻しのために必要なデータの溜め込みを早く行うことができれば、その分、操作確定から動作の実行までの時間を従来よりも短縮することができ、これによって早送りまたは早戻し動作の応答性の向上を図ることができるようになる。
【発明を実施するための最良の形態】
【００１０】
以下、発明を実施するための最良の形態（以下、実施の形態とする）について説明していく。
図１は、実施の形態としての記録再生装置１の内部構成例について示したブロック図である。
実施の形態としての記録再生装置１としては、一例として、磁界変調方式でデータ記録が行われる光磁気ディスクであるミニディスク（ＭＤ）方式のディスクに対する記録再生装置である場合を例に挙げる。但し、既に普及している音楽用途のミニディスクのみではなく、より高密度記録を可能とし、コンピュータユースの各種データのストレージに利用できる高密度ディスク（次世代ディスクとも言う）についても対応可能な記録再生装置である。
【００１１】
また、本例の記録再生装置１としては、例えばパーソナルコンピュータ（或いはネットワーク）５０等の外部の機器との間でデータ通信可能な機器とされる。
例えば記録再生装置１は、パーソナルコンピュータ５０とＵＳＢケーブル等の伝送路５１で接続されることで、パーソナルコンピュータ５０に対する外部ストレージ機器として機能できる。また、パーソナルコンピュータ５０を介したり、或いは直接ネットワークと接続できる機能を備えるなどしてネットワーク接続されることで、音楽や各種データをダウンロードし、記録再生装置１においてストレージ部２に装填されたディスクに保存できるものともなる。
【００１２】
一方、この記録再生装置１はパーソナルコンピュータ５０等に接続しなくとも、例えばオーディオ機器として機能する。例えば他のオーディオ機器等から入力された音楽データをディスクに記録したり、ディスクに記録された音楽データ等を再生出力することができる。
即ち本例の記録再生装置１は、パーソナルコンピュータ５０等に接続されることで汎用的なデータストレージ機器として利用でき、かつ単体ではオーディオ記録再生機器としても利用できる装置である。
【００１３】
ここで、本例の記録再生装置１が対応するとされる、光磁気記録による次世代ディスクの概要について説明しておく。
先ず、このような次世代ディスクとしては、現行のパーソナルコンピュータとの親和性が図れるように、ファイル管理システムとしてＦＡＴ（File Allocation Table）システムを使って、オーディオデータのようなコンテンツデータを記録再生するものである。
また、現行のＭＤシステムに対して、エラー訂正方式や変調方式等の改善を行うことで、データの記録容量の増大を図るとともにデータの信頼性を高めているものである。
【００１４】
次世代ディスクの記録再生のフォーマットとしては、現行のＭＤシステムで用いられているディスクと全く同様のディスクを用いるようにした次世代ＭＤ１の仕様と、現行のＭＤシステムで用いられているディスクと外形は同様であるが、磁気超解像度（ＭＳＲ）技術を使うことにより、線記録方向の記録密度を上げて、記録容量をより増大した次世代ＭＤ２の仕様とが提案されている。
【００１５】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
つまり、従来のＭＤシステムとの外形上での互換性が確保されているものである。
【００１６】
トラックピッチについては、次世代ＭＤ２では、１．２μｍから１．３μｍ（例えば１．２５μｍ）とすることが検討されている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００１７】
次世代ＭＤ２の仕様のディスクでは、磁気超解像技術を使うことにより、線密度方向の記録容量を向上するようにしている。磁気超解像技術は、所定の温度になると、切断層が磁気的にニュートラルな状態になり、記録層に転写されていた磁壁が転写されることで、微少なマークがビームスポットの中に見えるようになることを利用したものである。
具体的に、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００１８】
また、次世代ＭＤ２の仕様のディスクでは、デトラックマージン、ランドからのクロストーク、ウォブル信号のクロストーク、フォーカスの漏れを改善するために、グルーブを深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００１９】
光学的仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００２０】
また、記録方式としては、ＭＤ１の仕様もＭＤ２の仕様も、グルーブ記録方式が採用されている。つまり、グルーブ（ディスクの盤面上の溝）をトラックとして記録再生に用いるようにしている。
【００２１】
さらに、エラー訂正符号化方式としては、現行のＭＤシステムでは、ＡＣＩＲＣ(Advanced Cross Interleave Reed-Solomon Code) による畳み込み符号が用いられていたが、次世代ＭＤ１および次世代ＭＤ２の仕様では、ＲＳ−ＬＤＣ（Reed Solomon−Long Distance Code）とＢＩＳ（Burst Indicator Subcode）とを組み合わせたブロック完結型の符号が用いられている。
ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２２】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Address in Pregroove）と呼ばれている。
ＡＤＩＰの仕様については、現行のＭＤシステムと同様であるが、現行のＭＤシステムでは、２３５２バイトからなるセクターを記録再生のアクセス単位としているのに対して、次世代ＭＤ１および次世代ＭＤ２の仕様では、６４Ｋバイトを記録再生のアクセス単位（レコーディングブロック）としている。
また、現行のＭＤシステムでは、エラー訂正符号としてＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられている。
そこで、現行のＭＤシステムのディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００２３】
変調方式については、現行のＭＤシステムでは、ＥＦＭ(8 to 14 Modulation)が用いられているのに対して、次世代ＭＤ１および次世代ＭＤ２の仕様では、ＲＬＬ（１，７）ＰＰ（ＲＬＬ;Run Length Limited ,ＰＰ;Parity Preserve/Prohibit rmtr(repeated minimum transition runlength))（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００２４】
また、ディスク駆動方式はＣＬＶ（Constant Linear Verocity）で、その線速度は、次世代ＭＤ１の仕様では、２．７ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００２５】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭ変調から１−７ｐｐ変調とされることで、ウィンドウバージンが０．５から０．６６６となり、この点で、１．３３倍の高密度化が実現できる。
また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００２６】
これに対し磁気超解像度を利用した次世代ＭＤ２の仕様のディスクでは、更に線密度方向の高密度化が図られ、データ総記録容量は、約１Ｇバイトになる。
【００２７】
なお、データレートは次世代ＭＤ１では４．４Ｍビット／秒であり、次世代ＭＤ２では、９．８Ｍビット／秒である。
【００２８】
図２（ａ）には、次世代ＭＤ１のディスクの構成が示されている。
次世代ＭＤ１のディスクは、現行のＭＤシステムのディスクをそのまま流用したものである。すなわち、透明のポリカーボネート基板上に、誘電体膜と、磁性膜と、誘電体膜と、反射膜とを積層して構成される。更に、その上に保護膜が積層される。
次世代ＭＤ１のディスクでは、この図２（ａ）に示すようにディスクの内周のリードイン領域に、Ｐ−ＴＯＣ（プリマスタードＴＯＣ（Table Of Contents））領域が設けられる。ここは、物理的な構造としてはプリマスタード領域となり、エンボスピットによりコントロール情報等がＰ−ＴＯＣ情報として記録されていることになる。
【００２９】
そして、このようにＰ−ＴＯＣ領域が設けられるリードイン領域の外周は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザーＴＯＣ）が設けられる。
この場合のＵ−ＴＯＣは、現行のＭＤシステムでディスクの管理情報を記録するために用いられているＵ−ＴＯＣと同様の構成のものである。確認のために述べておくと、Ｕ−ＴＯＣは、現行のＭＤシステムにおいては、トラック（オーディオトラック／データトラック）の曲順、記録、消去などに応じて書き換えられる管理情報であり、各トラック（トラックを構成するパーツ）について、開始位置、終了位置や、モードを管理するものである。
【００３０】
また、Ｕ−ＴＯＣの外周には、アラートトラックが設けられる。アラートトラックは、このディスクが次世代ＭＤ１方式で使用され、現行のＭＤシステムのプレーヤでは再生できないことを示す警告音が記録された警告トラックである。
【００３１】
図２（ｂ）には、次世代ＭＤ１の仕様のディスクのレコーダブル領域の構成を示している。
この図２（ｂ）に示されるように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。
そして、このＥＦＭ変調でデータが変調されて記録される領域の外周には、次世代ＭＤ１方式の１−７ｐｐ変調によりデータが変調されて記録される領域が設けられる。ＥＦＭ変調によりデータが変調されて記録される領域と、１−７ｐｐ変調によりデータが変調されて記録される領域との間は所定の距離の間だけ離間されており、ガードバンドが設けられている。
このようなガードバンドが設けられるため、現行のＭＤプレーヤに次世代ＭＤ１の仕様のディスクが装着されて、不具合が発生されることが防止される。
【００３２】
１−７ｐｐ変調によりデータが変調されて記録される領域の先頭（内周側）には、ＤＤＴ(Disc Description Table)領域と、セキュアトラックが設けられる。ＤＤＴ領域には、物理的に欠陥のあるセクタ（レコーディングブロック）に対する交替セクタ処理をするために設けられる。
ＤＤＴ領域には、さらに、ユニークＩＤ（ＵＩＤ）が記録される。ＵＩＤは、記録媒体毎に固有の識別コードであって、例えば所定に発生された乱数に基づく。
セキュアトラックは、コンテンツの保護を図るための情報が格納される。
【００３３】
さらに、１−７ｐｐ変調でデータが変調されて記録される領域には、ＦＡＴ（File Allocation Table）領域が設けられる。このＦＡＴ領域は、ＦＡＴシステムでデータを管理するための領域である。
ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。
【００３４】
このような次世代ＭＤ１の仕様のディスクにおいて、上記したＵ−ＴＯＣ領域には、アラートトラックの開始位置の情報と、１−７ｐｐ変調でデータが変調されて記録される領域の開始位置の情報が記録されるものとなる。
【００３５】
ここで、現行のＭＤシステムのプレーヤに、上記構成による次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。
この警告音から、このディスクが現行のＭＤシステムのプレーヤでは使用できないことが通知される。
なお、この場合の警告音としては、「このプレーヤでは使用できません」というような言語による警告とすることができる。勿論、ブザー音とするようにしても良い。
【００３６】
一方、次世代ＭＤ１に準拠したプレーヤに対し、次世代ＭＤ１のディスクが装着された場合、Ｕ−ＴＯＣ領域が読み取られ、Ｕ−ＴＯＣの情報から１−７ｐｐ変調でデータが記録された領域の開始位置が分かり、上記したＤＤＴ、セキュアトラック、ＦＡＴ領域が読み取られる。上述のように１−７ｐｐ変調のデータの領域では、Ｕ−ＴＯＣではなくＦＡＴシステムによるデータ管理が行われる。
【００３７】
続いて図３（ａ）には、次世代ＭＤ２のディスクの構成を示す。
この場合もディスクは、透明のポリカーボネート基板上に誘電体膜、磁性膜、誘電体膜、反射膜、さらにその上層に保護膜を積層して成る。
そして、次世代ＭＤ２のディスクの場合では、図示するようにディスクの内周のリードイン領域には、ＡＤＩＰ信号により、コントロール情報が記録されるものとなる。
次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調方式によりデータが変調されて記録される。
【００３８】
ここで、次世代ＭＤ１であるか次世代ＭＤ２であるかは、例えば、リードインの情報から判断できる。
すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ２であると判断できる。
なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００３９】
次世代ＭＤ２の仕様のディスクのレコーダブル領域の構成としては、次の図３（ｂ）に示すように、全て１−７ｐｐ変調方式によりデータが変調されて記録される領域が形成される。そして、この１−７ｐｐ変調方式によりデータが変調されて記録される領域の先頭（内周側）には、ＤＤＴ領域と、セキュアトラックが設けられる。
この場合も上記ＤＤＴ領域には、物理的に欠陥のあるセクタ（レコーディングブロック）に対する交替セクタ処理を行うための領域とされる。またＤＤＴ領域には、上述したＵＩＤが記録される。さらにセキュアトラックには、この場合もコンテンツの保護を図るための情報が格納される。
【００４０】
また、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００４１】
そして、このような次世代ＭＤ２のディスクにおいては、図からもわかるようにＵ−ＴＯＣ領域は設けられていない。つまり、次世代ＭＤ２のディスクについては、次世代ＭＤに準拠したプレーヤでのみの使用が想定されているものである。
次世代ＭＤ２のディスクが装着されると、所定の位置にあるＤＤＴ、セキュアトラック、ＦＡＴ領域が読み取られ、ＦＡＴシステムを使ってデータの管理が行われることになる。
【００４２】
これまでに説明してきたような次世代ディスクに対応するために、図１に示す本例の記録再生装置１では、次の図４に示す構成によるストレージ部２を備えて、コンテンツデータの記録・再生を行うものとされる。
【００４３】
図４において、このストレージ部２では、装填されたディスク４０をスピンドルモータ２９によってＣＬＶ方式で回転駆動させる。そして、このディスク４０に対しては記録／再生時に光学ヘッド１９によってレーザ光が照射される。
【００４４】
なお、この場合、ディスク４０としては、現行のＭＤ仕様のディスクと、次世代ＭＤ１の仕様のディスクと、次世代ＭＤ２の仕様のディスクとが装着される可能性があることから、これらのディスクにより線速度が異なるものとなる。
このため、スピンドルモータ２９は、装填されたディスク４０の別に応じた異なる線速度に対応して回転されることになる。
【００４５】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、図示は省略するがレーザ出力手段としてのレーザダイオード、偏光ビームスプリッタや対物レンズ等からなる光学系、及び反射光を検出するためのディテクタが搭載されている。光学ヘッド１９に備えられる対物レンズとしては、例えば２軸機構によってディスク半径方向及びディスクに接離する方向に変位可能に保持されている。
【００４６】
また、ディスク４０を挟んで光学ヘッド１９と対向する位置には磁気ヘッド１８が配置されている。磁気ヘッド１８は記録データによって変調された磁界をディスク４０に印加する動作を行う。
また、図示しないが光学ヘッド１９全体及び磁気ヘッド１８をディスク半径方向に移動させためスレッドモータ及びスレッド機構が備えられている。
【００４７】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、磁界変調方式とされる。
【００４８】
また、このストレージ部２では、光学ヘッド１９、磁気ヘッド１８による記録再生ヘッド系、スピンドルモータ２９によるディスク回転駆動系のほかに、記録処理系、再生処理系、サーボ系等が設けられる。
【００４９】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調により変調して記録する部位が設けられる。
【００５０】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７ｐｐ復調と、ＢＩＳとＬＤＣによるエラー訂正処理とを行う部位が設けられる。
【００５１】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【００５２】
光学ヘッド１９のディスク４０に対するレーザ照射によりその反射光として検出された情報（フォトディテクタによりレーザ反射光を検出して得られる光電流）は、ＲＦアンプ２１に供給される。
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク４０にトラックのウォブリングにより記録されているＡＤＩＰ情報）等を抽出する。
【００５３】
現行のＭＤシステムのディスクを再生するときには、ＲＦアンプで得られた再生ＲＦ信号は、ＥＦＭ復調部２４およびＡＣＩＲＣデコーダ２５で処理される。
すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。つまりこの時点でＡＴＲＡＣ圧縮データの状態となる。
【００５４】
そして現行のＭＤシステムのディスクの再生時には、セレクタ２６はＢ接点側が選択されており、その復調されたＡＴＲＡＣ圧縮データがディスク４０からの再生データとして出力される。
【００５５】
一方、次世代ＭＤ１または次世代ＭＤ２のディスクを再生するときには、ＲＦアンプで得られた再生ＲＦ信号は、ＲＬＬ（１−７）ＰＰ復調部２２およびＲＳ−ＬＤＣデコーダ２５で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正、及びデインターリーブ処理される。
【００５６】
そして、次世代ＭＤ１または次世代ＭＤ２のディスクの再生時には、セレクタ２６はＡ接点側が選択されており、その復調されたデータがディスク４０からの再生データとして出力される。
【００５７】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。
そして、このように復調された、ディスク上の絶対アドレス情報であるＡＤＩＰアドレスは、図１に示されるシステムコントローラ８に供給される。システムコントローラ８ではＡＤＩＰアドレスに基づいて所要の制御処理を実行する。
またグルーブ情報はスピンドルサーボ制御のためにサーボ回路２７に供給される。
【００５８】
サーボ回路２７は、例えばグルーブ情報に対して再生クロック（デコード時のＰＬＬ系クロック）との位相誤差を積分して得られる誤差信号に基づき、ＣＬＶサーボ制御のためのスピンドルエラー信号を生成する。
またサーボ回路２７は、スピンドルエラー信号や、ＲＦアンプ２１から供給されたトラッキングエラー信号、フォーカスエラー信号、あるいはシステムコントローラ８からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【００５９】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。
このようなサーボドライブ信号により、ディスク４０に対するフォーカス制御、トラッキング制御、およびスピンドルモータ２９に対するＣＬＶ制御が行われることになる。
【００６０】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。
この場合、記録データとして図１に示されるキャッシュメモリ３から供給される圧縮データは、ＡＣＩＲＣエンコーダ１４でインターリーブおよびエラー訂正コード付加が行われた後、ＥＦＭ変調部１５でＥＦＭ変調が行われる。
そして、ＥＦＭ変調データがセレクタ１６を介して磁気ヘッドドライバ１７に供給され、磁気ヘッド１８がディスク４０に対してＥＦＭ変調データに基づいた磁界印加を行うことでオーディオトラックの記録が行われる。
【００６１】
これに対し、次世代ＭＤ１または次世代ＭＤ２のディスクにデータを記録する時には、セレクタ１６がＡ接点に接続され、ＲＳ−ＬＤＣエンコーダ１２およびＲＬＬ（１−７）ＰＰ変調部１３が機能することになる。この場合、キャッシュメモリ３からの高密度データは、ＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
そして、ＲＬＬ（１−７）符号列としての記録データがセレクタ１６を介して磁気ヘッドドライバ１７に供給され、磁気ヘッド１８がディスク４０に対して変調データに基づいた磁界印加を行うことでデータトラックの記録が行われる。
【００６２】
レーザドライバ／ＡＰＣ２０は、上記のような再生時および記録時においてレーザダイオードにレーザ発光動作を実行させるが、いわゆるＡＰＣ（Automatic Lazer Power Control）動作も行う。
つまり、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
なお、レーザパワーとしては、再生レーザパワー、記録レーザパワーとしての値がシステムコントローラ８によって、レーザドライバ／ＡＰＣ２０内部のレジスタにセットされる。
【００６３】
以上の各動作（アクセス、各種サーボ、データ書込、データ読出の各動作）は、図１に示されるシステムコントローラ８からの指示に基づいて実行されるものとなる。
【００６４】
説明を図１に戻し、本例の記録再生装置１内部の全体構成について説明する。
図１において、キャッシュメモリ３は、上記構成によるストレージ部２によりディスク４０に記録するデータ、或いはストレージ部２によってディスク４０から読み出されたデータについてのバッファリングを行うキャッシュメモリであり、例えばＤ−ＲＡＭより構成される。
キャッシュメモリ３へのデータの書込／読出は、システムコントローラ（ＣＰＵ）８において起動されるタスクによって制御される。
【００６５】
ＵＳＢインタフェース４は、例えばパーソナルコンピュータ５０とＵＳＢケーブルとしての伝送路５１で接続された際の、データ伝送のための処理を行う。
【００６６】
入出力処理部５は、例えば記録再生装置１が単体でオーディオ機器として機能する場合に記録再生データの入出力のための処理を行う。
この入出力処理部５は、例えば入力系として、ライン入力回路／マイクロホン入力回路等のアナログ音声信号入力部、Ａ／Ｄ変換器や、デジタルオーディオデータ入力部を備える。またＡＴＲＡＣ圧縮エンコーダ／デコーダを備える。ＡＴＲＡＣ圧縮エンコーダ／デコーダは、ＡＴＲＡＣ方式によるオーディオデータの圧縮／伸長処理を実行するための回路である。なお、もちろんのこと、本実施の形態の記録再生装置としては、例えばＭＰ３などの他のフォーマットによる圧縮オーディオデータが記録再生可能な構成を採ってもよく、この場合には、これらの圧縮オーディオデータのフォーマットに対応したエンコーダ／デコーダを備えればよい。
また、本実施の形態としては、ビデオデータに関しては特に記録再生可能なフォーマットの限定は行わないが、例えばＭＰＥＧ４などが考えられる。そして、入出力処理部５としては、このようなフォーマットに対応したエンコーダ／デコーダを備えればよいこととなる。
さらに入出力処理部５は、出力系として、デジタルオーディオデータ出力部や、Ｄ／Ａ変換器及びライン出力回路／ヘッドホン出力回路等のアナログ音声信号出力部を備える。
【００６７】
そして、この場合の入出力処理部５内には、暗号処理部（図示せず）が備えられる。暗号処理部においては、例えばディスクに記録すべきＡＶデータについて、所定のアルゴリズムによる暗号化処理を施すようにされる。また、例えばディスクから読み出されたＡＶデータについて暗号化が施されている場合には、必要に応じて暗号解読のための復号処理を実行するようにもされている。
【００６８】
入出力処理部５を介した処理として、ディスクにオーディオデータが記録されるのは、例えば入力ＴINとして入出力処理部５にデジタルオーディオデータ（又はアナログ音声信号）が入力される場合である。入力されたリニアＰＣＭデジタルオーディオデータ、或いはアナログ音声信号で入力されＡ／Ｄ変換器で変換されて得られたリニアＰＣＭオーディオデータは、必要に応じてＡＴＲＡＣ圧縮エンコードされてキャッシュメモリ３に蓄積される。そして所定タイミング（ＡＤＩＰクラスタ相当のデータ単位）でキャッシュメモリ３から読み出されてストレージ部２に転送される。ストレージ部２では、転送されてくる圧縮データを所定の変調方式で変調してディスクに記録する。
【００６９】
ディスクからミニディスク方式のオーディオデータが再生される場合は、ストレージ部２は再生データをＡＴＲＡＣ圧縮データ状態に復調してキャッシュメモリ３に転送する。そしてキャッシュメモリ３から読み出されて入出力処理部５に転送される。入出力処理部５は、供給されてくる圧縮オーディオデータに対してＡＴＲＡＣ圧縮デコードを行ってリニアＰＣＭオーディオデータとし、デジタルオーディオデータ出力部から出力する。或いはＤ／Ａ変換器によりアナログ音声信号としてライン出力／ヘッドホン出力を行う。
【００７０】
システムコントローラ８は、記録再生装置１内の全体の制御を行うと共に、接続されたパーソナルコンピュータ５０との間の通信制御を行う。
図示するＲＯＭ８ａには、システムコントローラ８の動作プログラムや固定パラメータ等が記憶される。特に本例の場合、このＲＯＭ８ａには後の図９にて説明するような本例の記録再生装置１としての動作を実現するためのプログラムが格納される。
【００７１】
またＲＡＭ８ｂは、システムコントローラ８によるワーク領域として用いられ、また各種必要な情報の格納領域とされる。
例えばストレージ部２によってディスク４０から読み出された各種管理情報や特殊情報を記憶する。上述したＰ−ＴＯＣデータ、Ｕ−ＴＯＣデータ、ＦＡＴデータ等、楽曲トラックの管理情報はこのＲＡＭ８ｂに記憶される。
なお、これら楽曲トラックの管理情報は、先に説明したキャッシュメモリ３に領域を設けて保持させるようにしてもよい。
【００７２】
キャッシュ管理メモリ９は、例えばＳ−ＲＡＭで構成され、キャッシュメモリ３の状態を管理する情報が格納される。システムコントローラ８はキャッシュ管理メモリ９を参照しながらデータキャッシュ処理の制御を行う。
【００７３】
表示部６は、システムコントローラ８の制御に基づいて、ユーザーに対して提示すべき各種情報の表示を行う。例えば動作状態、モード状態、楽曲等のデータの名称情報、トラックナンバー、時間情報、その他の情報表示を行う。
また、本例において、例えばディスク４０が次世代ディスクである場合には、このディスク４０に対し楽曲データに対応づけて画像データが記憶されていることが想定されており、表示部６は、ディスク４０のロード時や再生時等においてシステムコントローラ８の制御に基づき、このように対応づけられた画像データの表示も行うものとされる。
【００７４】
操作部７には、ユーザーの操作のための各種操作子として、各種操作ボタンやジョグダイヤルなどが形成される。ユーザーは、この操作部７に対する操作により記録再生装置１に対する所要の動作指示を行う。システムコントローラ８は操作部７によって入力された操作情報に基づいて所定の制御処理を行う。
【００７５】
この操作部７において、上記各種の操作子は、例えば次の図５に示すようにして当該記録再生装置１の筐体外部に表出するようにして設けられる。
図５において、この場合の操作子としては、例えばディスク４０についての再生を指示するための再生ボタン７ａ、再生出力や記録動作の一時停止を指示するための一時停止ボタン７ｂ、記録または再生の停止を指示するための停止ボタン７ｃ、記録の開始を指示するためのＲＥＣボタン７ｄ等が備えられる。
そして、特に本例の場合は、早送り（キュー）または早戻し（レビュー）再生を行うための、図のようなキュー／後方ＡＭＳ（頭出し）ボタン７ｅ、及びレビュー／前方ＡＭＳボタン７ｆが備えられている。
【００７６】
これらキュー／後方ＡＭＳボタン７ｅ、及びレビュー／前方ＡＭＳボタン７ｆによっては、その操作のしかたの別により、それぞれキューまたは後方ＡＭＳ、レビューまたは前方ＡＭＳの２つの異なる指示を行うことが可能とされる。
例えばこの場合、上記キュー／後方ＡＭＳボタン７ｅ、レビュー／前方ＡＭＳボタン７ｆに対する操作として、所定時間長以上の押圧操作が継続した場合は、システムコントローラ８によりキューまたはレビューの指示が確定される。また、上記キュー／後方ＡＭＳボタン７ｅ、レビュー／前方ＡＭＳボタン７ｆの押圧が、所定時間長に満たない場合は、後方ＡＭＳまたは前方ＡＭＳの指示が確定されるようになっている。
本例においては、例えば５００ｍｓｅｃ以上の押圧が継続された場合に、キューまたはレビューの指示を確定するものとし、５００ｍｓｅｃに満たない場合はＡＭＳ指示を確定するものとしている。
なお、確認のために述べておくと、この場合の上記後方ＡＭＳとしては、現在の再生位置から再生順序として後方側に位置する楽曲プログラム（トラック）の頭出し位置からの再生を行い、また、上記前方ＡＭＳとしては、同じく再生順序として前方側に位置する頭出し位置からの再生を行うものである。
【００７７】
なお、これまでに説明した記録再生装置１の構成はあくまでも一例であり、例えば入出力処理部５は、オーディオデータだけでなく、ビデオデータに対応する入出力処理系を備えるようにしてもよい。
また、パーソナルコンピュータ５０との接続はＵＳＢでなく、ＩＥＥＥ１３９４等の他の外部インタフェースが用いられても良い。
また、操作部７としては、リモートコントローラ上に先に例示したものと同様の操作子を備えるようにすることも可能である。
【００７８】
ここで、上記のような構成とされる記録再生装置１が採用する、キュー／レビューの基本動作について、次の図６を用いて説明しておく。
先ず、図６（ａ）では、記録再生装置１にてキュー動作が行われる際の様子を模式的に示している。
本例の記録再生装置１において、上記したキュー／後方ＡＭＳボタン７ｅに対する操作に応答してキュー動作が行われる場合は、図示するようにディスク４０上の現在の音出し位置から、ディスク外周方向（再生時間的に進行する方向）に対して、所定間隔おきに所定再生時間分のデータを読み取っていくようにされる。そして、このように読み取られるデータを、順次バッファメモリとしてのキャッシュメモリ３に溜め込んでいくようにされる。
このような方式によれば、キャッシュメモリ３に対しては、キュー再生に必要なデータのみが保持されることとなる。従って、この場合はキャッシュメモリ３から通常再生時と同様にデータを読み出すことで、キュー再生を行うことができる。すなわち、先にも説明したように、通常再生時とキュー再生とでキャッシュメモリ３からの読み出しを一定にすることができるものである。
【００７９】
また、図６（ｂ）では、レビュー動作が行われる際の様子を模式的に示している。この場合は、現在の音出し位置からディスク内周方向に対してヘッドがアクセスすることになる。そして、現在の音出し位置から所定間隔分内周側となる位置で、所定再生時間分のデータを読み取るようにされる。このように所定再生時間分のデータを読み取ると、さらに所定間隔分内周側となる位置にアクセスし、ここにおいても所定再生時間分のデータを読み取るようにされる。
このような動作を繰り返して、この場合はキャッシュメモリ３に対してレビュー再生に必要となるデータのみを溜め込んでいくようにされる。そして、この場合もキャッシュメモリ３には必要なデータのみが溜め込まれることになるので、キャッシュメモリ３からの読み出しを通常再生時と同様に行うことによってレビュー再生を行うことができる。
【００８０】
なお、本例において、このようなキューまたはレビュー動作時には、例えば４．５ｓｅｃ再生時間分の間隔ごとに、５００ｍｓｅｃ再生時間分のデータを読み取っていくものとしている。つまり、図６（ａ）の場合では、４．５ｓｅｃ分外周側に進んだ後５００ｍｓｅｃ分のデータを読み取る動作を繰り返すようにされる。また、図６（ｂ）の場合では、初回の読み取りは５．０ｓｅｃ内周側に戻ってから５００ｍｓｅｃ分のデータを読み取るようにし、以降は５．５ｓｅｃ分内周側に戻ってから再び５００ｍｓｅｃ分のデータを読み取る動作を繰り返すことになる。
【００８１】
ところで、上記説明のようなキューまたはレビュー動作を採用する場合では、改めてキャッシュメモリ３に対するキュー／レビューのためのデータ溜め込みを行うようにされるので、その分キュー／レビューの応答性が悪くなるという問題点があった。
そして、このようなキュー／レビュー動作を採用する場合において、本例のようにキュー／レビューとＡＭＳとが共通の操作子に対して割り与えられている場合では、所定時間が経過しなければキューまたはレビュー指示を確定することができないため、応答性がさらに悪化するものであった。
【００８２】
そこで本例では、このようにバッファメモリにキュー／レビューのために必要なデータのみを溜め込む方式が採用され、且つキュー／レビュー操作とＡＭＳ操作とが共通の操作子に対して割り与えられている記録再生装置において、キュー／レビューの応答性の向上を図るべく、以下に説明するような動作を行うこととした。
【００８３】
図７、図８は、本例としてのキュー／レビュー動作を模式的に説明するための図であり、図７ではキュー、図８ではレビューの各動作について示している。
先ず、図７に示すキュー動作について、例えば通常再生が行われている状態に対応して、図７（ａ）に示すようにしてキャッシュメモリ３における音出し位置とデータの溜め込み位置との関係が得られ、キャッシュメモリ３にはディスク４０からの読み取りデータがバッファリングされていたとする。また、これに対応して、ディスク４０上においては、現在のディスク上の音出し位置よりもディスク外周方向となる位置に再生ヘッド（図４にて説明した光学ヘッド１９）が位置していたとする。
【００８４】
このような図７（ａ）に示す状態から、先に説明したキュー／後方ＡＭＳボタン７ｅに対する押圧操作が行われ、これに応じた操作情報がシステムコントローラ８により検出されたとする。
すると、これに応じシステムコントローラ８は、先ずはキュー／後方ＡＭＳボタン７ｅに対する操作がキュー指示であるかＡＭＳ指示であるからの判別を行うために、タイムカウントを開始する。
そして、これと共に本例の場合では、上記のように押圧操作が開始されることに応じて、上記再生ヘッドを、キュー動作のために必要なデータについての読み取り開始位置をアクセス目標として移動を開始させるようにする。
これによって、上記押圧操作が開始されるのに応じては、図７（ｂ）中にディスク上のヘッド位置として示すように、再生ヘッドが、先の図７（ａ）に示した読み取り位置から現在の音出し位置方向に移動を開始するものとなる。すなわち本例では、キュー／後方ＡＭＳボタン７ｅに対する操作が開始された場合に、キュー／ＡＭＳの判別を待たずして直ちに再生ヘッドの移動を開始させるようにしているものである。
【００８５】
このようにキュー／後方ＡＭＳボタン７ｅへの押圧操作が開始された以降は、図中斜線により示したように、最長でキュー／ＡＭＳの判定のための時間長分の再生が行われる。つまり、本例の場合では、キュー／ＡＭＳの判定基準は５００ｍｓｅｃに設定されていることから、キュー指示が確定となる５００ｍｓｅｃ分の再生が最長で行われることになる。
【００８６】
そして、キュー／後方ＡＭＳボタン７ｅに対する押圧が開始されてから５００ｍｓｅｃが経過し、システムコントローラ８によりキュー指示が確定された場合は、次の図７（ｃ）に示すようにして、先ずはキャッシュメモリ３のこれまでのバッファ内容をクリアする。そして、このようにバッファ内容をクリアした後は、同じく図７（ｃ）のディスク上のヘッド位置として示すように、先の図６（ａ）にて示したようなキュー再生に必要となるデータの読み取り動作を開始する。
【００８７】
ここで、このようなキュー再生に必要となるデータのみの読み取り動作を行うにあたり、本例の場合では、上記のようにしてキュー／後方ＡＭＳボタン７ｅへの操作が検出された時点で既に、再生ヘッドの現在の音出し位置方向への移動が開始されることから、キュー指示の確定の段階で、再生ヘッドを読み取り開始位置付近に移動させておくことができる。
これに対し従来の手法では、キュー指示が確定された後において初めて、再生ヘッドが現在の読み取り位置からの移動を開始することになるから、キュー動作のための読み取り開始位置付近へ移動する時間を余分に要することになる。
このように本例の記録再生装置１によれば、従来では必要とされていたキュー指示確定後の読み取り開始位置への移動時間をほぼ不要にすることができるので、その分、従来よりもキュー動作の応答性の向上を図ることができるものである。
【００８８】
また、レビュー動作については、図８（ａ）に示すように通常再生時に対応した状態が得られているときに、レビュー／前方ＡＭＳボタン７ｆに対する押圧操作が検出されると、この場合も先ずはレビュー／ＡＭＳの判定のためのタイムカウントを開始する。
そして、これと共に、この場合もレビュー／前方ＡＭＳボタン７ｆに対する押圧操作の開始に応じては、レビュー動作に必要なデータについての読み取り開始位置をアクセス目標として、再生ヘッドの移動を開始させるものとしている。つまり、図８（ｂ）に示すように、再生ヘッドが、現在の読み取り位置から音出し位置方向への移動を開始するものとなる。
【００８９】
そして、この場合としても、レビュー／前方ＡＭＳボタン７ｆに対する押圧が開始されてから５００ｍｓｅｃが経過して、レビュー指示が確定されたことに応じては、次の図８（ｃ）に示すようにしてキャッシュメモリ３のバッファ内容をクリアする。そして、この場合は、図８（ｃ）のディスク上のヘッド位置として示すように、レビュー再生に必要となるデータについての読み取り動作を開始する。
【００９０】
このような本例のレビュー動作によっても、先のキュー動作の場合と同様、指示の確定後再生ヘッドを読み取り開始位置付近へ移動させる時間はほぼ不要とすることができるから、その応答性を従来よりも向上することができるようになる。
【００９１】
図９には、図７，８にて説明した本例のキュー／レビュー動作を実現するための処理動作について説明するためのフローチャートを示す。
なお、この図に示される処理動作は、図１に示したシステムコントローラ８がＲＯＭ８ａ内に格納されるプログラムに基づいて実行するものである。
先ず、システムコントローラ８は、図示するステップＳ１０１の処理によってキュー／後方ＡＭＳボタン７ｅ、又はレビュー／前方ＡＭＳボタン７ｆの押圧を監視する。そして、操作部７より、キュー／後方ＡＭＳボタン７ｅ、又はレビュー／前方ＡＭＳボタン７ｆに対する押圧操作に対応する操作情報が入力され、キュー／後方ＡＭＳボタン７ｅ、又はレビュー／前方ＡＭＳボタン７ｆが押圧されたとした場合は、ステップＳ１０２に処理を進める。
【００９２】
ステップＳ１０２においては、タイムカウントを開始する。
そして、続くステップＳ１０３においては、再生ヘッドの読み取り開始位置へのアクセスを開始させる。すなわち、例えばキャッシュメモリ３より現在読み出しが行われているデータの再生時間情報から、ディスク４０上における現在の音出し位置に対応するアドレス情報を取得し、この情報に基づいて先の図４にて説明したスレッド機構等を制御して光学ヘッド１９を読み取り開始位置付近に移動させる。
なお、この場合のステップＳ１０２の処理としては、上記ステップＳ１０１にて検出された操作情報がキュー／後方ＡＭＳボタン７ｅに対応するものであった場合は、現在の音出し位置＋５００ｍｓｅｃとなる位置から、さらに４．５ｓｅｃ分進んだ位置をアクセス目標としてアクセス動作を開始させる。また、レビュー／前方ＡＭＳボタン７ｆに対応するものであった場合は、現在の音出し位置＋５００ｍｓｅｃとなる位置から、５．０ｓｅｃ分前方となる位置をアクセス目標としてアクセス動作を開始させるようにすればよい。
【００９３】
ステップＳ１０４においては、ステップＳ１０１にて検出された押圧操作が、所定時間を経過して継続しているか否かについての判別処理を行う。
このステップＳ１０４において、押圧操作が所定時間を経過して継続してはいないとして否定結果が得られた場合は、ステップＳ１０５に処理を進めて、キュー／後方ＡＭＳボタン７ｅまたはレビュー／前方ＡＭＳボタン７ｆが離されたか否かについての判別を行う。
ステップＳ１０５において、例えば操作部７からの操作情報の入力が継続していて、キュー／後方ＡＭＳボタン７ｅまたはレビュー／前方ＡＭＳボタン７ｆが未だ離されていないとして否定結果が得られた場合は、先のステップＳ１０４に処理を進めて、再び所定時間が経過したか否かについての判別処理を行う。すなわち、このようなステップＳ１０５→Ｓ１０４のルートによっては、所定時間が経過するか或いはボタンが離されるかの何れかを監視するループが形成される。
また、ステップＳ１０５において、キュー／後方ＡＭＳボタン７ｅまたはレビュー／前方ＡＭＳボタン７ｆが離されたとして肯定結果が得られた場合は、ステップＳ１０６に処理を進める。
【００９４】
ステップＳ１０６においては、ＡＭＳ指示を確定する。つまり、ステップＳ１０１にて検出された押圧操作が、キュー／後方ＡＭＳボタン７ｅに対するものであった場合は後方ＡＭＳ指示を確定する。或いは、ステップＳ１０１にて検出された押圧操作がレビュー／前方ＡＭＳボタン７ｆに対するものであった場合は前方ＡＭＳ指示を確定するものである。
【００９５】
続くステップＳ１０７においては、バッファ内容をクリアする。つまり、キャッシュメモリ３にこれまで保持されていたデータをクリアするものである。
そして、ステップＳ１０８においては、アクセス目標を確定されたＡＭＳ操作に応じた位置に変更する。
ここで、確認のために述べておくと、本例の場合は、先のステップＳ１０３の処理が行われることで、キュー／レビュー指示であるかＡＭＳ指示であるかの確定前に再生ヘッド移動のためのアクセス目標が既に設定されている状態にある。このことから、ステップＳ１０７においては、上記のようにアクセス目標を確定されたＡＭＳ指示に応じたものに変更することになるものである。
【００９６】
そして、このようにアクセス目標を、上記確定されたＡＭＳ指示に応じたものに変更した後は、続くステップＳ１０９の処理によって、キャッシュメモリ３に対して通常のデータ溜め込み処理を行うようにされる。さらに、続くステップＳ１１３において、キャッシュメモリ３のバッファ内容として、このように溜め込まれたデータについての再生出力のための処理を行うことで、ＡＭＳ動作が完了する。
【００９７】
一方、先のステップＳ１０４の判別処理において、ステップＳ１０１にて検出された押圧操作が所定時間を経過して継続しているとされ、肯定結果が得られた場合は、ステップＳ１１０に処理を進めて、キュー／レビュー操作を確定する。すなわち、ステップＳ１０１にて検出された押圧操作が、キュー／後方ＡＭＳボタン７ｅに対するものであった場合にはキュー操作を確定し、レビュー／前方ＡＭＳボタン７ｆに対するものであった場合にはレビュー操作を確定するものである。
【００９８】
続くステップＳ１１１においては、キャッシュメモリ３のバッファ内容をクリアする。つまり、先の図７（ｃ）、図８（ｃ）にて説明したようにして、キュー／レビュー操作の確定に応じて、これまでキャッシュメモリ３に保持されていたデータをクリアするものである。
そして、ステップＳ１１２においては、確定された操作内容に応じた溜め込み処理を行う。例えば、ステップＳ１１０にて確定された操作内容がキュー操作であった場合は、先の図６（ａ）にて説明したような、キュー動作のために必要となるデータのみについての読み取り、及びその溜め込みを行わせるようにする。また、レビュー操作が確定された場合は、先の図６（ｂ）にて説明したようなレビュー動作のために必要となるデータのみの読み取り、及びその溜め込みを行わせるようにするものである。
【００９９】
その上で、ステップＳ１１３においては、先にも説明したようにキャッシュメモリ３のバッファ内容として、このように溜め込まれたデータについての再生出力のための処理を行うようにされる。つまり、この場合はキャッシュメモリ３に保持されたキュー／レビューに必要となるデータのみが再生されることとなり、これによってキュー／レビューの動作が実現されるものとなる。
【０１００】
ここで、上記もしているように本例の場合では、ステップＳ１０３の処理によって、キュー／レビュー操作であるかＡＭＳ操作であるかの確定前に再生ヘッドの読み取り開始位置への移動が開始される。従って、そのアクセス開始タイミングは、図中の実線矢印により示したような位置となる。これに対し従来では、再生ヘッドの読み取り開始位置への移動が開始されるのは、キュー／レビュー操作であるかＡＭＳ操作であるかの確定後となるから、この場合のアクセス開始タイミングは図中破線矢印により示すような位置となる。
これらのアクセス開始タイミングの差によっても、本例の方がキュー／レビューの応答性の向上が図られることが示されている。
【０１０１】
以上のようにして本例の記録再生装置１においては、キュー／レビュー操作であるかＡＭＳ操作であるかの確定前に、再生ヘッドの移動を開始するものとしたことから、キュー／レビュー操作の確定後におけるキャッシュメモリ３へのデータ溜め込みを開始するタイミングを、従来よりも早めることができるようになる。そして、このようにキュー／レビュー動作のためのデータ溜め込み開始タイミングを早めることができることで、従来よりもキュー／レビュー動作の応答性の向上が図られる。
【０１０２】
なお、本例では、キュー／レビュー操作であるかＡＭＳ操作であるかを、操作ボタンに対する押圧時間の差により判断する場合を例に挙げたが、例えば所定時間長内に操作ボタンに対する押圧が１度のみ行われた場合はＡＭＳ操作を、また２度行われた場合はキュー／レビュー操作を確定する等、他の方式が採られても構わない。
【０１０３】
また、本例としては、ディスク４０に記憶されるデータが楽曲データを始めとして、例えば映像データ等の他のデータが記憶される場合においても好適に適用できるものである。
【０１０４】
また、本例では、本発明の記録再生装置がＭＤに対応した構成に適用される場合を例に挙げたが、例えばＣＤ、ＤＶＤ（Digital Versatile Disc）、ハードディスク、半導体メモリ装置等の他の記憶媒体に対応する構成に対しても本発明は好適に適用できる。
【図面の簡単な説明】
【０１０５】
【図１】本発明の実施の形態としての記録再生装置の内部構成例について示したブロック図である。
【図２】実施の形態の記録再生装置が対応するとされる、次世代ディスクについて説明するための図である。
【図３】同じく、実施の形態の記録再生装置が対応するとされる、次世代ディスクについて説明するための図である。
【図４】実施の形態の記録再生装置内に備えられるストレージ部の内部構成例について示すブロック図である。
【図５】実施の形態の記録再生装置の外観図である。
【図６】実施の形態の記録再生装置が採用する早送り再生、及び早戻し再生の基本動作について模式的に説明する図である。
【図７】実施の形態の記録再生装置において行われる動作を模式的に説明した図である。
【図８】同じく、実施の形態の記録再生装置において行われる動作を模式的に説明した図である。
【図９】実施の形態の記録再生装置の処理動作について示したフローチャートである。
【符号の説明】
【０１０６】
１  記録再生装置、２  ストレージ部、３  キャッシュメモリ、４  ＵＳＢインタフェース、５  入出力処理部、６  表示部、７  操作部、７ｅ  キュー／後方ＡＭＳボタン、７ｆ  レビュー／前方ＡＭＳボタン、８  システムコントローラ、８ａ  ＲＯＭ、８ｂ  ＲＡＭ、９  キャッシュ管理メモリ
【図１】
2005182858.tif 000003
【図２】
2005182858.tif 000004
【図３】
2005182858.tif 000005
【図４】
2005182858.tif 000006
【図５】
2005182858.tif 000007
【図６】
2005182858.tif 000008
【図７】
2005182858.tif 000009
【図８】
2005182858.tif 000010
【図９】
2005182858.tif 000011